(57)【要約】  本発明は、成分Ａとして、ａａ）成分Ａａとしてポリアルキレンポリアミン、ポリアミドアミン、エチレンイミンでグラフトされたポリアミドアミン、ポリエーテルアミン並びに前記化合物の混合物、ａｂ）場合により成分Ａｂとして官能基としてハロゲンヒドリン単位、グリシジル単位、アジリジン単位又はイソシアナート単位又はハロゲン原子を有する少なくとも二官能性の架橋剤及びａｃ）モノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステルの反応により得ることができる水溶性又は水分散性の化合物；及び水を含有している硬質表面を処理するための組成物；水溶性又は水分散性の化合物の製造方法、本発明による方法により製造可能である水溶性又は水分散性の化合物並びに迅速かつしまのない乾燥、汚れはがしの容易化、水の凝縮の減少又は回避及び／又は硬質表面上への乾固した水の痕跡の形成の減少又は回避のために硬質表面を処理するための組成物における本出願による水溶性又は水分散性の化合物の使用に関する。【特許請求の範囲】
【請求項１】
硬質表面を処理するための組成物であって、成分Ａとして、
ａａ）成分Ａａとして、ポリアルキレンポリアミン、ポリアミドアミン、エチレンイミンでグラフトされたポリアミドアミン、ポリエーテルアミン並びに前記化合物の混合物、
ａｂ）場合により、成分Ａｂとして、官能基としてハロゲンヒドリン単位、グリシジル単位、アジリジン単位又はイソシアナート単位又はハロゲン原子を有する少なくとも二官能性の架橋剤、及び
ａｃ）モノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステル
の反応により得ることができる、少なくとも１つの水溶性又は水分散性の化合物；及び
水
を含有している、硬質表面を処理するための組成物。
【請求項２】
ａ）成分Ａとして、請求項１記載の少なくとも１つの水溶性又は水分散性の化合物；
ｂ）成分Ｂとして、アニオン界面活性剤、非イオン界面活性剤、両性界面活性剤及びカチオン界面活性剤からなる群から選択される少なくとも１つの界面活性剤；
ｃ）場合により、成分Ｃとして、少なくとも１つの水溶性有機溶剤；
ｄ）場合により、成分Ｄとして、アンモニア及び／又は少なくとも１つのアルカノールアミン；
ｅ）場合により、成分Ｅとして、少なくとも１つの無機酸、カルボン酸及び／又はスルホン酸；
ｆ）場合により、成分Ｆとして、少なくとも１つのビルダー；
ｇ）場合により、成分Ｇとして、別の助剤及び添加剤；及び
ｈ）水
を含有している、請求項１記載の組成物。
【請求項３】
ａ）成分Ａ  ０．０１〜４０質量％、好ましくは０．０５〜２０質量％、特に好ましくは０．１〜５質量％；
ｂ）成分Ｂ  ０．０１〜８０質量％、好ましくは０．０１〜３０質量％、特に好ましくは０．０１〜２０質量％、極めて特に好ましくは０．０１〜５質量％；
ｃ）成分Ｃ  ０〜５０質量％、好ましくは０．１〜３０質量％、特に好ましくは０．５〜１５質量％、極めて特に好ましくは１〜１０質量％；
ｄ）成分Ｄ  ０〜５質量％、好ましくは０．０１〜３質量％、好ましくは０．０２〜１質量％、特に好ましくは０．０５〜０．５質量％；
ｅ）成分Ｅ  ０〜５質量％、好ましくは０．０１〜３質量％、特に好ましくは０．０２〜１質量％、極めて特に好ましくは０．０５〜０．５質量％；
ｆ）成分Ｆ  ０〜１０質量％、好ましくは０．１〜５質量％、特に好ましくは０．１〜３質量％；
ｇ）成分Ｇ  ０〜５質量％、好ましくは０．０１〜３質量％；及び
ｈ）水
を含有しており、成分Ａ〜Ｇ及び水の全量が１００質量％である、請求項２記載の組成物。
【請求項４】
成分Ａａがポリアルキレンアミン、好ましくはポリエチレンイミンである、請求項１から３までのいずれか１項記載の組成物。
【請求項５】
成分Ａｂが、エピハロゲンヒドリン、好ましくはエピクロロヒドリン、α，ω−ビス−（クロロヒドリン）ポリアルキレングリコールエーテル、ポリアルキレングリコールエーテルのα，ω−ビス（エポキシド）及び／又はビス−グリシジルエーテルである、請求項１から４までのいずれか１項記載の組成物。
【請求項６】
成分Ａｃが、モノエチレン系不飽和カルボン酸、好ましくはアクリル酸、メタクリル酸又はマレイン酸である、請求項１から５までのいずれか１項記載の組成物。
【請求項７】
成分Ｂが、脂肪アルコール硫酸塩、アルキルエーテル硫酸塩、脂肪アルコールアルコキシラート及びそれらの混合物からなる群から選択されている、請求項１から６までのいずれか１項記載の組成物。
【請求項８】
成分Ｃが、グリセリン、プロピレングリコール、エチレングリコール、エタノール、イソプロパノール、ｎ−プロパノール、エチレングリコールモノブチルエーテル、プロピレングリコールモノブチルエーテル及び前記の水溶性有機溶剤の２つ又はそれ以上からなる混合物から選択されている、請求項１から７までのいずれか１項記載の組成物。
【請求項９】
成分Ｄがアンモニア及び／又はモノエタノールアミンであり、及び／又は成分Ｅがギ酸、酢酸、クエン酸、乳酸又はアミドスルホン酸である、請求項１から８までのいずれか１項記載の組成物。
【請求項１０】
水溶性又は水分散性の化合物の製造方法において、次の工程：
ｉ）成分Ａａとして、ポリアルキレンポリアミン、ポリアミドアミン、エチレンイミンでグラフトされたポリアミドアミン、ポリエーテルアミン並びに前記化合物の混合物を、
成分Ａｂとして、官能基としてハロゲンヒドリン単位、グリシジル単位、アジリジン単位又はイソシアナート単位又はハロゲン原子を有する少なくとも二官能性の架橋剤
で架橋する工程；
及び
ｉｉ）工程ｉ）において得られた生成物を、成分Ｃとしてモノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステルと反応させる工程
を含んでいることを特徴とする、水溶性又は水分散性の化合物の製造方法。
【請求項１１】
請求項１０記載の方法により製造可能である、水溶性又は水分散性の化合物。
【請求項１２】
硬質表面を請求項１から９までのいずれか１項記載の組成物と接触させる、硬質表面の処理方法。
【請求項１３】
迅速かつしまのない乾燥、汚れはがしの容易化、水の凝縮の減少又は回避及び／又は硬質表面上への乾固した水の痕跡の形成の減少又は回避のため及び／又は汚れ及び特に石灰せっけんの分散のためのクリーナー適用において硬質表面を処理するための、請求項１又は４から６までのいずれか１項記載又は請求項１１記載の水溶性又は水分散性の化合物の使用。
【請求項１４】
迅速かつしまのない乾燥、汚れはがしの容易化、水の凝縮の減少又は回避及び／又は硬質表面上への乾固した水の痕跡の形成の減少又は回避のため及び／又は汚れ及び特に石灰せっけんの分散のためのクリーナー適用において硬質表面を処理するための、請求項１から９までのいずれか１項記載の組成物の使用。
【発明の詳細な説明】
【技術分野】
【０００１】
本発明は、水溶性又は水分散性の化合物及び水を含有している、硬質表面を処理するための組成物、水溶性又は水分散性の化合物の製造方法、本発明による方法により製造可能である水溶性又は水分散性の化合物並びに迅速かつしまのない乾燥、汚れはがし(Schmutzabloesung)の容易化、水の凝縮の減少又は回避及び／又は硬質表面上への乾固した水の痕跡の形成の減少又は回避のための、硬質表面を処理するための組成物中の本出願による水溶性又は水分散性の化合物の使用に関する。
【０００２】
さらに、本発明は、クリーナー適用において汚れ及び特に石灰せっけんの分散を可能にする水溶性又は水分散性の化合物（ポリマー）の使用に関する。
【０００３】
硬質表面、特に滑らかな表面、例えばガラス又はセラミックの清浄化の場合に、高い清浄性能、単純かつ快適な適用並びにしまがなくかつ迅速な乾燥に加えて、清浄化された表面からの水の流出が薄い水膜(Wasserfilm)として行われるので、これらの表面上への乾固した水の痕跡の形成が回避されることが望ましい。さらに、例えば石灰残留物の、容易になった汚れはがしが望ましい。硬質表面上への水の湿潤は、例えば浴室中でシャワー浴又は入浴の間及びそれらの後に行われ、その際に乾固した水の痕跡の形成も観察されうる。これらの水の痕跡は、特に水の硬度に基づいて石灰痕跡及び石灰縁部(Kalkraendern)の形で生じる。浴室中並びにその他の領域において、例えば硬質表面を形成する床敷き材(Fussbodenbelaegen)を有する領域において、迅速かつしまのない乾燥、並びに容易になった汚れはがしがさらに望ましい。食器の自動清浄又は手による清浄化の場合にも前記の性質の多くが望ましい。さらに、乾固した水滴の形成は窓ガラスの清浄化の場合に、例えば清浄化された窓がその後ににわか雨を受ける場合に問題である。
【０００４】
故に、硬質表面に１よりも多い湿潤サイクルの期間に亘り前記の性質の１つ又はそれ以上を備えさせるのに適している硬質表面を処理するための組成物を提供することが望ましい。
【０００５】
清浄剤においてせっけんの使用は通常である。せっけんは、液体洗剤に加えて身体の手入れのための清浄剤及び手入れ剤においても使用される。ここでも、水の硬度と組み合わさって、硬質表面上に沈殿しかつそこで難溶性残留物を形成しうる不溶性石灰せっけんが形成されうる。例えば、これはシャワーライニング及び洗面台並びに風呂桶上へ生じうる。故に、石灰せっけん汚れの容易になったはがしを可能にすることがさらに望ましい。
【０００６】
国際公開(WO)第96/04358号パンフレットからは、塗膜形成及び／又はしまの形成の問題となる程度を回避し、かつガラス表面にこうして望ましい外観を付与するガラス用清浄剤が公知である。この望ましい外観はより長い期間に亘って維持され、このことはガラス用クリーナーがより高い親水性をガラスに付与する材料を含有することにより達成される。この材料は、好ましくはポリカルボキシレート、例えばポリ（ビニルピロリドン／アクリル酸）、ポリアクリル酸又はスルホン化ポリスチレンポリマーである。
【０００７】
独国特許出願公開(DE-A)第198 59 777号明細書には、リグニンスルホン酸塩を含有し、硬質表面、特にガラス用の水性液体界面活性剤含有清浄剤に関する。清浄剤中のリグニンスルホン酸塩により、同時にいわゆる耐雨効果（乾固した水の痕跡の回避）及び曇り防止効果（硬質表面上への水の縮合の回避）が達成される。
【０００８】
硬質表面を処理するための技術水準から公知の組成物に比較して、硬質表面を処理するための、特に滑らかな表面、例えばガラス、金属、セラミック又はプラスチック用の組成物の性質をさらに改善すること、すなわち前記の性質の望ましい組合せを有する組成物を提供することが望ましく、その際にこれらの性質の少なくとも幾つかが１よりも多い湿潤サイクルの期間に亘って得られたままである。
【０００９】
この課題は、
ａａ）成分Ａａとして、ポリアルキレンポリアミン、ポリアミドアミン、エチレンイミンでグラフトされたポリアミドアミン、ポリエーテルアミン並びに前記化合物の混合物、
ａｂ）場合により、成分Ａｂとして、官能基としてハロゲンヒドリン単位、グリシジル単位、アジリジン単位又はイソシアナート単位又はハロゲン原子を有する少なくとも二官能性の架橋剤、及び
ａｃ）モノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステル
の反応により得ることができる、少なくとも１つの水溶性又は水分散性の化合物である、成分Ａ；及び
水
を含有している、硬質表面を処理するための組成物により解決される。
【００１０】
前記の水溶性又は水分散性の化合物を含有する組成物が、迅速かつしまのない乾燥、水の縮合の回避又は減少、硬質表面上への特に水の硬度に基づく石灰痕跡及び石灰縁部の形での乾固した水の痕跡の形成の回避又は減少及び容易になった汚れはがし、特に石灰はがしに関して、卓越した性質を有することが意外なことに見出された。
【００１１】
水溶性又は水分散性の化合物（ポリマー）により、クリーナー適用において汚れ及び特に石灰せっけんの分散が可能になる。分散により石灰せっけんの沈殿は阻害され、ひいては清浄化すべき平面上の堆積は防止される。さらにまたポリマーは、ポリマーで処理された表面に石灰せっけん汚れが付着することを防止する性質を有し、こうして前記効果を促進する。これらの表面上に施された石灰せっけん汚れは、明らかにより容易にはがされる。
【００１２】
水溶性又は水分散性の化合物（ポリマー）で前処理されていた表面上に、石灰せっけんが沈殿される場合には、これらは引き続いて、前処理されていなかった表面よりも極めてずっとより良好に清浄化されることができる。
【００１３】
硬質表面は、公知の全ての硬質表面であると理解されるべきである。これらは特に滑らかな表面、例えばガラス、セラミック、金属、例えば合金鋼、エナメル、塗面及びプラスチックからなる表面である。
【００１４】
処理は、清浄化の前又は後での硬質表面の前処理又は後処理並びに清浄化中の処理であると理解されるべきである。さらに硬質表面の処理は清浄化過程から独立して行われることができる。
【００１５】
成分Ａａ、場合によりＡｂ、及びＡｃの反応により得ることができるポリマーは既に技術水準から公知である。
【００１６】
例えば、独国特許出願公開(DE-A)第42 44 194号明細書は、アミノ基を有する化合物及び架橋剤からなる水溶性縮合生成物に関する。これらの縮合生成物は、
ａ）ポリアルキレンポリアミン、ポリアミドアミン、エチレンイミンでグラフトされたポリアミドアミン、ポリエーテルアミン並びに前記化合物の混合物、
ｂ）モノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステル、及び
ｃ）官能基としてハロゲンヒドリン単位、グリシジル単位、アジリジン単位又はイソシアナート単位又はハロゲン原子を有する少なくとも二官能性の架橋剤
の反応により得ることができる生成物である。
【００１７】
これらの水溶性縮合生成物は、製紙の際に脱水促進剤、凝集剤及び歩留まり向上剤として使用される。硬質表面を処理するための組成物における前記水溶性縮合生成物の使用は、独国特許出願公開(DE-A)第42 44 194号明細書に開示されていない。
【００１８】
国際公開(WO)第97/42285号パンフレットは、水溶性又は水分散性の変性ポリアミン化合物を有する、木綿用のソイルリリース−ポリマーに関する。詳細な説明によれば、変性ポリアミンは好ましくは、一般的に６００Ｄａを下回る低い分子量を有し、かつ“オキシ”−単位を介して互いに結合されているポリエチレンイミン及びポリエチレンアミンである。硬質表面用の清浄剤における国際公開(WO)第97/42285号パンフレットに開示されたポリマーの使用は、国際公開(WO)第97/42285号パンフレットに開示されていない。
【００１９】
国際公開(WO)第00/49126号パンフレットは少なくとも１つの変性ポリアミン化合物及び界面活性剤を含有する洗剤組成物に関する。変性ポリアミン化合物は、グラフトされた又はグラフトされていない、変性又は未変性の、架橋されているポリアミンである。ポリアミンとして一実施態様においてポリエチレンイミンが使用される。架橋剤として、アミドを形成する架橋剤並びに別の架橋剤、例えばエピハロヒドリン又は例えばポリエチレングリコールとの組合せでのエピハロヒドリンが使用されることができる。ポリアミン化合物の変性は、例えばアジリジンでのグラフトにより、又は線状又は分枝鎖状であるＣ１〜Ｃ２２−アルキル基を有するモノカルボン酸との反応によるいわゆる“キャッピング(Capping)”により行われる。不飽和カルボン酸と反応されたポリアミン化合物は、国際公開(WO)第00/49126号パンフレットに開示されていない。さらに、国際公開(WO)第00/49126号パンフレットには、硬質表面用の清浄剤における変性ポリアミン化合物の使用は開示されていない。
【００２０】
本発明により使用される水溶性又は水分散性の化合物（成分Ａ）は既に単独で、水溶液中の単一成分として、硬質表面を処理するための組成物中で使用されることができる。本出願のさらなる実施態様において、前記組成物は水溶性又は水分散性の化合物（成分Ａ）に加えて、成分Ｂとして少なくとも１つの界面活性剤を含有する。少なくとも１つの水溶性又は水分散性の化合物（成分Ａ）に加えて、少なくとも１つの界面活性剤（成分Ｂ）を含有する組成物は、硬質表面の処理に加えて、これらの表面の清浄化のためと同時に所望の前記の性質の達成のために適している。
【００２１】
水溶性又は水分散性の化合物（成分Ａ）及び少なくとも１つの界面活性剤（成分Ｂ）に加えて、組成物は通常、硬質表面用の清浄剤において使用される別の成分を含有していてよい。
【００２２】
ａ）成分Ａとして、本出願による少なくとも１つの水溶性又は水分散性の化合物；
ｂ）成分Ｂとして、アニオン界面活性剤、非イオン界面活性剤、両性界面活性剤及びカチオン界面活性剤からなる群から選択される少なくとも１つの界面活性剤；
ｃ）場合により、成分Ｃとして、少なくとも１つの水溶性有機溶剤；
ｄ）場合により、成分Ｄとして、アンモニア及び／又は少なくとも１つのアルカノールアミン；
ｅ）場合により、成分Ｅとして、少なくとも１つの無機酸、カルボン酸及び／又はスルホン酸；
ｆ）場合により、成分Ｆとして、少なくとも１つのビルダー；
ｇ）場合により、成分Ｇとして、別の助剤及び添加剤；及び
ｈ）水
を含有する組成物が特に好ましい。
【００２３】
成分Ａは、本発明による組成物中に一般的に０．０１〜４０質量％、好ましくは０．０５〜２０質量％、特に好ましくは０．１〜５質量％の量で含まれている。成分Ｂ〜Ｆは一般的に当業者に公知の量で本発明による組成物中に含まれている。
【００２４】
ａ）成分Ａ  ０．０１〜４０質量％、好ましくは０．０５〜２０質量％、特に好ましくは０．１〜５質量％；
ｂ）成分Ｂ  ０．０１〜８０質量％、好ましくは０．０１〜３０質量％、特に好ましくは０．０１〜２０質量％、極めて特に好ましくは０．０１〜５質量％；
ｃ）成分Ｃ  ０〜５０質量％、好ましくは０．１〜３０質量％、特に好ましくは０．５〜１５質量％、極めて特に好ましくは１〜１０質量％；
ｄ）成分Ｄ  ０〜５質量％、好ましくは０．０１〜３質量％、特に好ましくは０．０２〜１質量％、極めて特に好ましくは０．０５〜０．５質量％；
ｅ）成分Ｅ  ０〜５質量％、好ましくは０．０１〜３質量％、特に好ましくは０．０２〜１質量％、極めて特に好ましくは０．０５〜０．５質量％；
ｆ）成分Ｆ  ０〜１０質量％、好ましくは０．１〜５質量％、特に好ましくは０．１〜３質量％；
ｇ）成分Ｇ  ０〜５質量％、好ましくは０．０１〜３質量％；
ｈ）及び残りの量として水；
を含有する組成物が特に好ましく、その際に成分Ａ〜Ｇ及び水の全量は１００質量％となる。
【００２５】
前記の量の記載はすぐ使用できる組成物に基づいている。すぐ使用できる組成物は、表面用に典型的な種類において、例えばワイピング、噴霧又はすすぎ又は硬質表面を有する対象物の処理のために通常使用されるような類似の方法により表面上に施与される水溶液であると理解されるべきである。しかしながら本発明は、濃縮物、すなわち前記の成分Ａ〜Ｇを含有するが、しかしながら水を含有しないか又は前記のものよりも少ない水を含有している組成物にも関するものであり、このことは成分Ａ〜Ｇがより高い濃度で存在することを意味する。水が存在しないか又は前記のものよりも少ない水の存在での成分Ａ〜Ｇの濃度は、当業者に前記の量の記載に基づいて容易に算出されることができる。本出願はさらに、粉末形、グラニュール形、ペースト形又はゲル形で存在する成分Ａ〜Ｇを含有する組成物に関する。相応する助剤及び添加剤並びに多様な形の本発明による組成物の製造方法は、当業者に公知である。
【００２６】
本発明による組成物を用いて達成される、迅速かつしまのない乾燥、水の縮合の回避又は減少及び／又は硬質表面上への乾固した水の痕跡の形成の回避又は減少及び／又は容易になった汚れはがしの効果は、一般的により長い期間及び１よりも多い再湿潤サイクルに亘り持続する。それにより清浄化、例えば汚れはがしは、本発明による組成物での処理後の清浄化操作において容易になる。このことは、硬質表面の表面がより長い期間に亘って変性される（親水化される）ことによって達成される。それにより、水の改善された流出挙動及び同時に硬質表面上のより低い汚れ堆積及び塩堆積が達成される。
【００２７】
成分Ａ
成分Ａは、成分Ａａ、場合によりＡｂ、及びＡｃの反応により得られる。それゆえ水溶性又は水分散性の化合物は架橋された又は架橋されていない形で存在していてよく、その際に成分Ａａはいずれにせよ成分Ａｃで変性されていた。
【００２８】
その際に、成分Ａａ、場合によりＡｂ、及びＡｃは互いに任意の比で使用されることができる。成分Ａｂが使用される場合には、成分Ａａ及びＡｂは好ましくは１００対１〜１対１０００、特に好ましくは２０対１〜１対２０のモル比で使用される。成分ＡａとＡｃとの間のモル比は、好ましくは、Ａａ中の窒素上の水素原子対成分Ａｃのモル比が１対０．２〜１対０．９５、好ましくは１対０．３〜１対０．９、特に好ましくは１対０．４〜１対０．８５であるように選択される。
【００２９】
成分Ａａ
成分Ａａとして、ポリアルキレンポリアミンが使用されることができる。ポリアルキレンポリアミンは本出願によれば、少なくとも３個の窒素原子を有する化合物、例えばジエチレントリアミン、トリエチレンテトラミン、テトラエチレンペンタミン、ペンタエチレンヘキサミン、ジアミノプロピレンエチレンジアミン、トリスアミノプロピルアミン及びポリエチレンイミンであると理解されるべきである。ポリエチレンイミンは好ましくは少なくとも３００の平均モル質量（Ｍｗ）を有する。好ましくは、ポリエチレンイミンの平均モル質量は、光散乱を用いて算出して、８００〜２００００００、特に好ましくは２００００〜１００００００、極めて特に好ましくは２００００〜７５００００である。
【００３０】
ポリアルキレンポリアミンは部分的にアミド化されていてよい。この種類の生成物は、例えばポリアルキレンポリアミンとカルボン酸、カルボン酸エステル、無水カルボン酸又はカルボン酸ハロゲン化物との反応により製造される。ポリアルキレンポリアミンは、本出願によればその後の反応のために、好ましくは１〜３０％、特に好ましくは２０％までアミド化される。アミド化されたポリアルキレンポリアミンは、これらが化合物Ａｂ及びＡｃと反応されることができるようになお遊離ＮＨ基を有することが必要である。ポリアルキレンポリアミンのアミド化に適しているカルボン酸は、Ｃ１〜Ｃ２８−カルボン酸、例えばギ酸、酢酸、プロピオン酸、安息香酸、ラウリン酸、パルミチン酸、ステアリン酸、オレイン酸、リノール酸及びベヘン酸である。アミド化がポリアルキレンポリアミンとアルキルジケテンとの反応により行われることは同様に可能である。
【００３１】
ポリアルキレンアミンはさらに部分的に四級化された形で成分Ａａとして使用されることができる。適している四級化剤は、例えばハロゲン化アルキル、例えば塩化メチル、塩化エチル、塩化ブチル、エピクロロヒドリン、塩化ヘキシル、硫酸ジメチル、硫酸ジエチル塩及び塩化ベンジルである。成分Ａａとして四級化されたポリアルキレンポリアミンが使用される場合には、四級化度は好ましくは１〜３０％、特に好ましくは２０％までである。
【００３２】
さらにポリアミドアミンが成分Ａａとして適している。ポリアミドアミンは、例えばＣ４〜Ｃ１０−ジカルボン酸と、分子中に好ましくは塩基窒素原子３〜１０個を有するポリアルキレンポリアミンとの反応により得ることができる。適しているジカルボン酸は、例えばコハク酸、マレイン酸、アジピン酸、グルタル酸、スベリン酸、セバシン酸又はテレフタル酸である。カルボン酸からなる混合物、例えばアジピン酸及びグルタル酸又はマレイン酸及びアジピン酸からなる混合物も使用されることができる。好ましくはアジピン酸がポリアミドアミンの製造のために使用される。ジカルボン酸と縮合される適したポリアルキレンポリアミンは既に前記されており、例えばジエチレントリアミン、トリエチレンテトラミン、ジプロピレントリアミン、トリプロピレンテトラミン、ジヘキサメチレントリアミン、アミノプロピルエチレンジアミン及びビス−アミノプロピル−エチレンジアミンが適している。ポリアルキレンポリアミンはポリアミドアミンの製造の際に混合物の形でも使用されることができる。ポリアミドアミンの製造は好ましくはバルクで行われるが、しかしながら場合により不活性溶剤中でも行われることができる。ポリアルキレンポリアミンとのジカルボン酸の縮合はより高い温度で、例えば１２０〜２２０℃の範囲内で行われる。反応の間に形成された水は反応混合物から留去される。縮合は場合により、炭素原子４〜８個を有するカルボン酸のラクトン又はラクタムの存在で行われることができる。ジカルボン酸１mol当たり一般的にポリアルキレンポリアミン０．８〜１．４molが使用される。こうして得ることができるポリアミドアミンは、第一級ＮＨ基及び第二級ＮＨ基を有し、かつ水中に可溶である。
【００３３】
さらに成分Ａａとしてエチレンイミンでグラフトされたポリアミドアミンが使用されることができる。この種類の生成物は、エチレンイミンをブレーンステッド酸又はルイス酸、例えば硫酸、リン酸又は三フッ化ホウ素エーテラートの存在で前記のポリアミドアミンに作用させることにより製造可能である。前記条件下で、エチレンイミンがポリアミドアミン上へグラフトされる。例えばポリアミドアミン中の塩基性窒素基１個当たりエチレンイミン単位１〜１０個がグラフトされることができ、すなわちポリアミドアミン１００質量部にエチレンイミン約１０〜５００質量部が使用される。
【００３４】
さらに成分Ａａとしてポリエーテルアミンが使用されることができる。この種類の化合物は、例えば独国特許出願公開(DE-A)第29 16 356号明細書から公知である。ポリエーテルアミンは、高められた温度でのクロロヒドリンエーテルとのジアミン及びポリアミンの縮合により得られることができる。ポリアミンは窒素原子１０個までを含有していてよい。クロロヒドリンエーテルは例えば、炭素原子２〜５個を有する二価アルコール、アルキレンオキシド単位６０個までを有するこれらのアルコールのアルコキシル化生成物、グリセリン又はグリセリン単位１５個までを有するポリグリセリン、エリトリトール又はペンタエリトリトールと、エピクロロヒドリンとの反応により製造される。前記アルコールのうちの１つ１mol当たりエピクロロヒドリン少なくとも２〜８molが使用される。ジアミン及びポリアミンとクロロヒドリンエーテルとの反応は通常１〜２００℃、好ましくは１１０〜２００℃の温度で実施される。さらにポリエーテルポリアミンは、ジエタノールアミン又はトリエタノールアミンの縮合により、例えば米国特許(US)第4,404,362号明細書、米国特許(US)第4,459,220号明細書及び米国特許(US)第2,407,895号明細書に開示されている公知の方法に従い、製造されることができる。
【００３５】
好ましくは、成分Ａａとして、場合により最大２０％までアミド化されているポリアルキレンポリアミンが使用される。特に好ましくは、ポリアルキレンポリアミン、殊に、８００〜２００００００、特に好ましくは２００００〜１００００００、極めて特に好ましくは２００００〜７５００００の平均モル質量を極めて特に好ましくは有するポリエチレンイミンが使用される。
【００３６】
成分Ａｂ
成分Ａｂとして、官能基としてハロゲンヒドリン単位、グリシジル単位、アジリジン単位又はイソシアナート単位又はハロゲン原子を有する少なくとも二官能性の架橋剤が適している。
【００３７】
適している架橋剤は例えばエピハロゲンヒドリン、好ましくはエピクロロヒドリン、並びにα，ω−ビス−（クロロヒドリン）ポリアルキレングリコールエーテル及びこれらから塩基での処理により得ることができるポリアルキレングリコールエーテルのα，ω−ビス（エポキシド）である。クロロヒドリンエーテルは例えば、ポリアルキレングリコールをエピクロロヒドリンと１対少なくとも２〜５のモル比で反応させることにより製造される。適しているポリアルキレングリコールは、例えばポリエチレングリコール、ポリプロピレングリコール及びポリブチレングリコール並びにＣ２−〜Ｃ４−アルキレンオキシドのブロックコポリマーである。ポリアルキレングリコールの平均モル質量（Ｍｗ）は一般的に１００〜６０００、好ましくは３００〜２０００ｇ／molである。α，ω−ビス（クロロヒドリン）ポリアルキレングリコールエーテルは例えば米国特許(US)第4,144,123号明細書に記載されている。その中に同様に開示されているように、ジクロロヒドリンエーテルから塩基での処理によりポリアルキレングリコールの相応するビスグリシジルエーテルが生じる。
【００３８】
さらに架橋剤として、例えば欧州特許出願公開(EP-A)第0 025 515号明細書に開示されているα，ω−ジクロロポリアルキレングリコールが適している。これらのα，ω−ジクロロポリアルキレングリコールは、二価ないし四価のアルコール、好ましくはアルコキシル化された二価ないし四価のアルコールが、ＨＣｌ脱離下に塩化チオニルと反応され、引き続いて二酸化硫黄の脱離下にクロロスルホン化された化合物が接触分解されるか、又はＨＣｌ脱離下にホスゲンと反応されて相応するビスクロロ炭酸エステルへ変換され、それらから引き続いて二酸化炭素の脱離下での接触分解によりα，ω−ジクロロエーテルが得られることにより、得ることができる。
【００３９】
二価ないし四価のアルコールは好ましくは、グリコール１mol当たりエチレンオキシド１〜１００mol、特に４〜４０molと反応されるエトキシル化及び／又はプロポキシル化されたグリコールである。
【００４０】
適している別の架橋剤は、α，ω−又はビシナルなジクロロアルカン、例えば１，２−ジクロロエタン、１，２−ジクロロプロパン、１，３−ジクロロプロパン、１，４−ジクロロブタン及び１，６−ジクロロヘキサンである。適している別の架橋剤は、少なくとも２つのクロロヒドリン単位を有する反応生成物を与える少なくとも三価のアルコールとエピクロロヒドリンとの反応生成物である。例えば、多価アルコールとしてグリセリン、エトキシル化又はプロポキシル化されたグリセリン、分子中にグリセリン単位２〜１５個を有するポリグリセリン並びに場合によりエトキシル化及び／又はプロポキシル化されたポリグリセリンが使用される。この種類の架橋剤は例えば独国特許出願公開(DE-A)第29 16 356号明細書から公知である。さらに、ブロックイソシアナート基を有する架橋剤、例えば２，２，３，６−テトラメチルピペリジノン−４でブロックされたトリメチルヘキサメチレンジイソシアナートが適している。これらの架橋剤は例えば独国特許出願公開(DE-A)第40 28 285号明細書から公知である。さらに、ポリエーテル又は置換された炭化水素をベースとし、アジリジン単位を有している架橋剤、例えば１，６−ビス−Ｎ−アジリジノヘキサンが適している。本出願によれば、架橋剤は個々にか又は２つ又はそれ以上の架橋剤からなる混合物として使用されることができる。
【００４１】
特に好ましくは、成分Ａｂとしてエピハロヒドリン、好ましくはエピクロロヒドリン、α，ω−ビス−（クロロヒドリン）ポリアルキレングリコールエーテル、ポリアルキレングリコールエーテルのα，ω−ビス（エポキシド）及び／又はポリアルキレングリコールのビスグリシジルエーテルが使用される。
【００４２】
成分Ａｃ
成分Ａｃとして、アルケニル基中に好ましくは炭素原子３〜１８個を有するモノエチレン系不飽和カルボン酸が適している。適しているモノエチレン系不飽和カルボン酸は、アクリル酸、メタクリル酸、ジメタクリル酸、エチルアクリル酸、アリル酢酸、ビニル酢酸、マレイン酸、フマル酸、エタコン酸、メチレンマロン酸、シトラコン酸、オレイン酸及びリノレン酸である。好ましくはモノエチレン系不飽和カルボン酸はアクリル酸、メタクリル酸及びマレイン酸からなる群から選択されている。
【００４３】
さらに、前記のモノエチレン系不飽和カルボン酸の塩が成分Ａｃとして適している。適している塩は、一般的に前記の酸のアルカリ金属塩、アルカリ土類金属塩及びアンモニウム塩である。ナトリウム塩、カリウム塩及びアンモニウム塩が好ましい。アンモニウム塩はアンモニアから並びにアミン又はアミン誘導体、例えばエタノールアミン、ジエタノールアミン及びトリエタノールアミンから誘導されることができる。アルカリ土類金属塩として、一般的に前記のモノエチレン系不飽和カルボン酸のマグネシウム及びカルシウム塩が考慮に値する。
【００４４】
前記のモノエチレン系不飽和カルボン酸の適しているエステルは一価Ｃ１〜Ｃ２０−アルコール又は二価Ｃ２〜Ｃ６−アルコールから誘導される。適しているエステルは例えばアクリル酸メチルエステル、アクリル酸エチルエステル、アクリル酸−ｎ−プロピルエステル、アクリル酸イソプロピルエステル、アクリル酸−ｎ−ブチルエステル、アクリル酸イソブチルエステル、メタクリル酸メチルエステル、メタクリル酸エチルエステル、メタクリル酸イソプロピルエステル、メタクリル酸−ｎ−ブチルエステル、２−エチルヘキシルアクリレート、２−エチルヘキシルメタクリレート、パルミチルアクリレート、ラウリルアクリレート、ジアリールアクリレート、ラウリルメタクリレート、パルミチルメタクリレート、ステアリルメタクリレート、ジメチルマレエート、ジエチルマレエート、イソプロピルマレエート、２−ヒドロキシエチルアクリレート、２−ヒドロキシエチルメタクリレート、２−ヒドロキシプロピルアクリレート、３−ヒドロキシプロピルアクリレート、２−ヒドロキシプロピルメタクリレート、３−ヒドロキシプロピルメタクリレート、ヒドロキシブチルアクリレート、ヒドロキシブチルメタクリレート及びヒドロキシヘキシルアクリレート及びヒドロキシヘキシルメタクリレートである。
【００４５】
モノエチレン系不飽和カルボン酸の適しているアミドは例えばアクリルアミド、メタクリルアミド及びオレイン酸アミドである。モノエチレン系不飽和カルボン酸の適しているニトリルは好ましくはアクリロニトリル及びメタクリロニトリルである。さらに、適しているアミドは、モノエチレン系不飽和カルボン酸、特に（メタ）アクリル酸と、アミドアルカンスルホン酸との反応生成物であると理解されるべきである。モノエチレン系不飽和カルボン酸、特に（メタ）アクリル酸と、アミドアルカンスルホン酸との反応により得ることができる特に適しているアミドは、式Ｉ又はＩＩ
Ｈ２Ｃ＝ＣＨ−Ｘ−ＳＯ３Ｈ  （Ｉ）
Ｈ２Ｃ＝Ｃ（ＣＨ３）−Ｘ−ＳＯ３Ｈ  （ＩＩ）
［式中、Ｘは存在していないか又は式−Ｃ（Ｏ）−ＮＨ−ＣＨ２−ｎ（ＣＨ３）ｎ（ＣＨ２）ｍ−、−Ｃ（Ｏ）ＮＨ−、−Ｃ（Ｏ）−ＮＨ−（ＣＨ（ＣＨ３）ＣＨ２−、又は−Ｃ（Ｏ）−ＮＨ−ＣＨ（ＣＨ２ＣＨ３）−のスペーサー基を表し、ここでｎは０〜２を表し、かつｍは０〜３を表す］で示される化合物である。１−アクリルアミド−１−プロパンスルホン酸（式Ｉ中Ｘ＝−Ｃ（Ｏ）−ＮＨ−ＣＨ（ＣＨ２ＣＨ３）−）、２−アクリルアミド−１−プロパンスルホン酸（式Ｉ中Ｘ＝−Ｃ（Ｏ）−ＮＨ−ＣＨ（ＣＨ３）ＣＨ２−）、２−アクリルアミド−２−メチル−１−プロパンスルホン酸（式Ｉ中Ｘ＝−Ｃ（Ｏ）−ＮＨ−Ｃ（ＣＨ３）２ＣＨ２−）−）、２−メタクリルアミド−２−メチル−１−プロパンスルホン酸（式ＩＩ中Ｘ＝−Ｃ（Ｏ）−ＮＨ−Ｃ（ＣＨ３）２ＣＨ２−）−）及びビニルスルホン酸（Ｘが式Ｉ中に存在していない）が特に好ましい。
【００４６】
さらに成分Ａｃとしてクロロカルボン酸が適している。適しているクロロカルボン酸は、例えばクロロ酢酸、２−クロロプロピオン酸、２−クロロ酪酸、ジクロロ酢酸及び２，２′−ジクロロプロピオン酸である。
【００４７】
さらに、成分Ａｃとして、次の式：
【００４８】
【化１】
2007534791.tif 000002
［式中、次の意味を表す：
Ｘは、ＮＨ２、ＯＭｅ、ＯＲであり、
Ｍｅは、Ｈ、Ｎａ、Ｋ、アンモニウムであり、かつ
Ｒは、Ｃ１〜Ｃ４−アルキル又はＣ２〜Ｃ４−ヒドロキシアルキルである］を有するグリシジル化合物が適している。
【００４９】
式ＩＩＩの好ましい化合物は、グリシジル酸、それらのナトリウム塩、カリウム塩、アンモニウム塩、マグネシウム塩又はカルシウム塩、グリシジル酸アミド及びグリシジル酸エステル、例えばグリシジル酸メチルエステル、グリシジル酸エチルエステル、グリシジル酸−ｎ−プロピルエステル、グリシジル酸−ｎ−ブチルエステル、グリシジル酸イソブチルエステル、グリシジル酸−２−エチルヘキシルエステル、グリシジル酸−２−ヒドロキシプロピルエステル及びグリシジル酸−４−ヒドロキシブチルエステルである。グリシジル酸、それらのナトリウム塩、カリウム塩又はアンモニウム塩又はグリシジル酸アミドが特に好ましい。
【００５０】
好ましくは成分Ａｃとしてモノエチレン系不飽和カルボン酸、特に好ましくはアクリル酸、メタクリル酸又はマレイン酸、極めて特に好ましくはアクリル酸が使用される。
【００５１】
水溶性又は水分散性の化合物（成分Ａ）は、技術水準による方法に従い製造されることができる。適している製造方法は例えば独国特許出願公開(DE-A)第42 44 194号明細書に開示されており、そこでは成分Ａａはまず最初に成分Ａｃと反応され、その後はじめて成分Ａｂが添加される。さらに、独国特許出願公開(DE-A)第42 44 194号明細書によれば、成分Ａｃ及びＡｂを成分Ａａと同時に反応させることが可能である。
【００５２】
好ましい一実施態様において、成分Ａａ、Ａｂ及びＡｃを含有している水溶性又は水分散性の化合物（成分Ａ）は、次の工程を含む方法により製造される：
ｉ）成分Ａａとして、ポリアルキレンポリアミン、ポリアミドアミン、エチレンイミンでグラフトされたポリアミドアミン、ポリエーテルアミン並びに前記化合物の混合物を、
成分Ａｂとして、官能基としてハロゲンヒドリン単位、グリシジル単位、アジリジン単位又はイソシアナート単位又はハロゲン原子を有する少なくとも二官能性の架橋剤で
架橋する工程；
及び
ｉｉ）工程ｉ）において得られた生成物を、成分Ｃとしてモノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステルと反応させる工程。
【００５３】
本発明によるこの反応は、独国特許出願公開(DE-A)第42 44 194号明細書に開示された反応とは、反応の順序が、まず最初に成分Ａｂの架橋剤での成分Ａａの化合物の架橋が行われ、それに引き続いてはじめて、得られた生成物と成分Ａｃの化合物との反応が行われることが変更された点で相違する。
【００５４】
工程ｉ）
成分Ａｃの架橋剤での成分Ａａの化合物の架橋は、当業者に公知の方法により行われる。一般的に架橋は１０〜２００℃の温度、好ましくは３０〜１００℃で行われる。反応は通常、常圧で実施される。反応時間は使用される成分Ａａ及びＡｂに依存している。一般的に反応期間は０．５〜２０時間、好ましくは１〜１０時間である。架橋剤（成分Ａｂ）は一般的に水溶液中に添加されるので、反応は通常水溶液中で行われる。得られた生成物は、単離されることができるか又は直接的に−単離工程なしで−工程ｉｉ）において反応されることができ、これが好ましい。
【００５５】
工程ｉｉ）
工程ｉｉ）において、工程ｉ）において得られた生成物と、モノエチレン系不飽和二重結合を有する群Ａｃのそのような化合物との反応はマイケル−付加の種類により行われるのに対して、クロロカルボン酸及び式Ｉのグリシジル化合物はクロロ基又はエポキシド基を介して、工程ｉ）において得られた架橋生成物の第一級アミノ基又は第二級アミノ基と反応する。反応は一般的に１０〜２００℃の温度、好ましくは３０〜１００℃で行われる。通常、反応は常圧で実施される。反応期間は使用される成分に依存している。一般的に反応期間は０．５〜１００時間、好ましくは１〜５０時間である。
【００５６】
通常、前記反応は水溶液中で実施され、その際に工程ｉ）において得られた生成物は既に水溶液中に存在している。
【００５７】
本発明による方法において使用される成分Ａａ、Ａｂ及びＡｃは既に前記で定義されている。
【００５８】
本出願のさらなる対象は、工程ｉ）及びｉｉ）を含む本出願の本発明による方法により製造可能である水溶性又は水分散性の化合物である。
【００５９】
本発明による組成物は成分Ａ及び水に加えてさらなる成分Ｂ〜Ｇを含有していてよい。
【００６０】
成分Ｂ
本発明による組成物は、成分Ｂとして、アニオン界面活性剤、非イオン界面活性剤、両性界面活性剤及びカチオン界面活性剤からなる群から選択される少なくとも１つの界面活性剤を０．０１〜８０質量％、好ましくは０．０１〜３０質量％、特に好ましくは０．０１〜２０質量％、極めて特に好ましくは０．０１〜５質量％含有する。
【００６１】
適しているアニオン界面活性剤は、例えば炭素原子８〜２２個、好ましくは８〜１８個を有する脂肪アルコールの脂肪アルコール硫酸塩、例えばＣ９〜Ｃ１１−アルコール硫酸塩、Ｃ１２〜Ｃ１３−アルコール硫酸塩、Ｃ１４〜Ｃ１８−アルコール硫酸塩、例えばラウリル硫酸塩、セチル硫酸塩、ミリスチル硫酸塩、パルミチル硫酸塩、ステアリル硫酸塩又は獣脂脂肪アルコール硫酸塩である。
【００６２】
適している別のアニオン界面活性剤は、硫酸化されたエトキシル化Ｃ８〜Ｃ２２−アルコール（アルキルエーテル硫酸塩）もしくはそれらの可溶性塩である。この種類の化合物は例えば、まず最初にＣ８〜２２、好ましくはＣ１０〜１８−アルコール、例えば脂肪アルコールがアルコキシル化され、引き続いてアルコキシル化生成物が硫酸化されることによって製造される。アルコキシル化のためには好ましくはエチレンオキシドが使用され、その際に脂肪アルコール１mol当たりエチレンオキシド２〜５０mol、好ましくは２〜３０molが使用される。しかしながらアルコールのアルコキシル化は、プロピレンオキシド単独で及び場合によりブチレンオキシドでも実施されることができる。そのうえ、エチレンオキシド及びプロピレンオキシド又はエチレンオキシド及びブチレンオキシドを有するそのようなアルコキシル化Ｃ８〜２２−アルコールが適している。アルコキシル化Ｃ８〜２２−アルコールは、ブロックの形で又はランダム分布でエチレンオキシド単位、プロピレンオキシド単位及びブチレンオキシド単位を有していてよい。
【００６３】
適している別のアニオン界面活性剤は、アルカンスルホン酸塩、例えばＣ８〜Ｃ２４−、好ましくはＣ１０〜Ｃ１８−アルカンスルホン酸塩並びにせっけん、例えばＣ８〜Ｃ２４−カルボン酸のＮａ塩及びＫ塩である。
【００６４】
適している別のアニオン界面活性剤は、Ｃ８〜Ｃ２０−直鎖型アルキルベンゼンスルホン酸塩（ＬＡＳ）、好ましくは直鎖型Ｃ９〜Ｃ１３−アルキルベンゼンスルホン酸塩及びＣ９〜Ｃ１３−アルキルトルエンスルホン酸塩である。
【００６５】
さらにアニオン界面活性剤として、アルケンスルホン酸塩及びヒドロキシアルカンスルホン酸塩もしくは−ジスルホン酸塩からなる混合物であってもよいＣ８〜Ｃ２４−オレフィンスルホン酸塩及びＣ８〜Ｃ２４−オレフィンジスルホン酸塩、アルキルエステルスルホン酸塩、スルホン化ポリカルボン酸、アルキルグリセリンスルホン酸塩、脂肪酸グリセリンエステルスルホン酸塩、アルキルフェノールポリグリコールエーテル硫酸塩、炭素原子２０〜５０個を有するパラフィンスルホン酸塩（天然の源から取得されたパラフィン又はパラフィン混合物をベースとする）、アルキルリン酸塩、アシルイセチオン酸塩、アシルタウレート、アシルメチルタウレート、アルキルコハク酸、アルケニルコハク酸又はそれらの半エステル又は半アミド、アルキルスルホコハク酸又はそれらのアミド、スルホコハク酸のモノエステル及びジエステル、アシルサルコシネート、硫酸化アルキルポリグリコシド、アルキルポリグリコールカルボキシレート並びにヒドロキシアルキルサルコシネートが適している。
【００６６】
適しているアニオン界面活性剤はさらにアルキルリン酸塩である。
【００６７】
アニオン界面活性剤は、本発明による組成物に好ましくは塩の形で添加される。適している塩はアルカリ金属塩、例えばナトリウム塩、カリウム塩、リチウム塩及びアンモニウム塩、例えばヒドロキシエチルアンモニウム塩、ジ（ヒドロキシエチル）アンモニウム塩及びトリ（ヒドロキシエチル）アンモニウム塩である。
【００６８】
アニオン界面活性剤は個々にか又は異なるアニオン界面活性剤の組合せで並びに前記の別の界面活性剤との混合物で使用されることができる。１つのみのクラスからなるアニオン界面活性剤、例えば脂肪アルコール硫酸塩のみ又はアルキルベンゼンスルホン酸塩のみ、しかしまた異なるクラスからなる混合物、例えば脂肪アルコール硫酸塩及びアルキルベンゼンスルホン酸塩からなる混合物が使用されることができる。
【００６９】
好ましいアニオン界面活性剤はアルキルエーテル硫酸塩、アルキル硫酸塩及びアルキルリン酸塩である。
【００７０】
非イオン界面活性剤として、例えばアルコキシル化Ｃ８〜Ｃ２２−アルコール、例えば脂肪アルコールアルコキシラート又はオキソアルコールアルコキシラートが適している。アルコキシル化はエチレンオキシド、プロピレンオキシド及び／又はブチレンオキシドを用いて実施されることができる。この場合に界面活性剤として使用可能であるのは、前記のアルキレンオキシドの少なくとも２つの分子を付加して含有する全てのアルコキシル化アルコールである。この場合にも、エチレンオキシド、ブチレンオキシド及び／又はプロピレンオキシドのブロックコポリマー又は前記のアルキレンオキシドをランダム分布で有する付加生成物が考慮に値する。アルコール１mol当たり、少なくとも１つのアルキレンオキシド２〜５０mol、好ましくは３〜２０molが使用される。好ましくはアルキレンオキシドとしてエチレンオキシドが使用される。アルコールは好ましくは炭素原子１０〜１８個を有する。
【００７１】
別のクラスの適している非イオン界面活性剤は、Ｃ６〜Ｃ１４−アルキル鎖及びエチレンオキシド単位５〜３０molを有するアルキルフェノールエトキシラートである。
【００７２】
別のクラスの非イオン界面活性剤は、アルキル鎖中に炭素原子８〜２２個、好ましくは１０〜１８個を有するアルキルポリグルコシドである。これらの化合物はグルコシド単位をたいてい１〜２０個、好ましくは１．１〜５個有する。別のクラスの非イオン界面活性剤はＮ−アルキルグルカミドである。
【００７３】
非イオン界面活性剤としてさらにアルキルアミンアルコキシラート又はアルキルアミドエトキシラートが適している。
【００７４】
好ましくは本発明による組成物は、エチレンオキシド３〜１２molでエトキシル化されたＣ１０〜Ｃ１６−アルコール、特に好ましくはエトキシル化脂肪アルコールを含有する。さらにアルキルポリグルコシド、アルキルアミンアルコキシラート及びアミドエトキシラートが好ましい。
【００７５】
個々の非イオン界面活性剤又は異なる非イオン界面活性剤の組合せ又は前記の別の界面活性剤との混合物が使用されることができる。好ましくはアルコキシル化Ｃ８〜Ｃ２２−アルコールが単独で使用される。
【００７６】
両性界面活性剤の典型的な例は、アルキルベタイン、アルキルアミドベタイン、アミノプロピオネート、アミノグリシネート又は両性イミダゾリウム化合物である。好ましい例は、ココヤシ両性カルボキシプロピオネート(Cocoamphocarboxypropionat)、ココヤシアミドカルボキシプロピオン酸、ココヤシ両性カルボキシグリシネート及びココヤシ両性アセテートである。
【００７７】
適しているカチオン界面活性剤は、置換又は非置換の、直鎖状又は分枝鎖状の第四級アンモニウム塩、例えばＣ８〜６−ジアルキルジメチルアンモニウムハロゲン化物、ジアルコキシジメチルアンモニウムハロゲン化物又は長鎖アルキル基を有するイミダゾリウム塩である。
【００７８】
極めて特に好ましくは、成分Ｂとしてアニオン界面活性剤、非イオン界面活性剤又はアニオン界面活性剤と非イオン界面活性剤とからなる組合せが使用される。極めて特に好ましくは、成分Ｂは、脂肪アルコール硫酸塩、アルキルエーテル硫酸塩、脂肪アルコールアルコキシラート及びそれらの混合物から選択されている。
【００７９】
成分Ｃ
水溶性有機溶剤（成分Ｃ）は本発明による組成物中で一般的に０〜５０質量％、好ましくは０．１〜３０質量％、特に好ましくは０．５〜１５質量％、極めて特に好ましくは１〜１０質量％の量で使用される。
【００８０】
適している水溶性有機溶剤は、Ｃ１〜Ｃ６−アルコール及び／又はエーテルアルコールであり、その際に異なるアルコール及び／又はエーテルアルコールの混合物が好ましい。
【００８１】
適しているアルコールはグリセリン、プロピレングリコール、エチレングリコール、エタノール、イソプロパノール及びｎ−プロパノールである。適しているエーテルアルコールは、分子中に炭素原子１０個までを有するエーテルアルコール、例えばエチレングリコールモノブチルエーテル、プロピレングリコールモノブチルエーテル、ジエチレングリコールモノブチルエーテル、プロピレングリコールモノ第三級ブチルエーテル及びプロピレングリコールモノエチルエーテルである。エチレングリコールモノブチルエーテル及びプロピレングリコールモノブチルエーテルが特に好ましい。エタノール、イソプロパノール、ｎ−プロパノール、エチレングリコールモノブチルエーテル、プロピレングリコールモノブチルエーテル及び前記の水溶性有機溶剤の２つ又はそれ以上からなる混合物から選択される成分Ｃが極めて特に好ましい。
【００８２】
アルコール及びエーテルアルコールが混合物中で使用される場合には、アルコール及びエーテルアルコールの質量比は好ましくは１対２〜４対１である。２つの異なるエーテルアルコールの混合物、好ましくはエチレングリコールモノブチルエーテル及びプロピレングリコールモノブチルエーテル中で、質量比は好ましくは１対６〜６対１、特に好ましくは１対５〜５対１、極めて特に好ましくは４対１であり、その際に特に好ましくはより少ない炭素原子を有するエーテルアルコールの含分は双方のものの中でより高い。
【００８３】
成分Ｄ及びＥ
アンモニア及び／又は少なくとも１つのアルカノールアミン（成分Ｄ）もしくは少なくとも１つの無機酸、カルボン酸及び／又はスルホン酸（成分Ｅ）はその都度、一般的に０〜５質量％、好ましくは０．０１〜３質量％、特に好ましくは０．０２〜１質量％、極めて特に好ましくは０．０５〜０．５質量％の含分で使用される。
【００８４】
成分Ｄとして好ましくはアンモニア及び／又は分子中に炭素原子１〜９個を有するアルカノールアミンが使用される。好ましくはアルカノールアミンとしてエタノールアミン、特に好ましくはモノエタノールアミンが使用される。
【００８５】
アンモニア及び／又は少なくとも１つのアルカノールアミンに加えて、本発明による組成物は付加的に少なくとも１つの無機酸、カルボン酸又はスルホン酸を含有していてよく、その際にアンモニア及び／又はアルカノールアミン対カルボン酸のモル比は好ましくは１対０．９〜１対０．１である。適しているカルボン酸は炭素原子１〜６個を有するカルボン酸であり、これらはモノカルボン酸、ジカルボン酸又はポリカルボン酸であってよい。適しているカルボン酸の例はギ酸、酢酸、グリコール酸、乳酸、クエン酸、コハク酸及びアジピン酸、好ましくはギ酸、酢酸、クエン酸及び乳酸、極めて特に好ましくは酢酸である。適しているスルホン酸の例はアミドスルホン酸及びメタンスルホン酸、好ましくはアミドスルホン酸である。適している無機酸の例はＨＣｌ及びＨ３ＰＯ４である。
【００８６】
成分Ｆ
少なくとも１つのビルダーは、一般的に０〜１０質量％、好ましくは０．１〜５質量％、特に好ましくは０．１〜３質量％の含分で使用される。
【００８７】
ビルダーには無機ビルダー及び有機（コ）ビルダーが含まれる。
【００８８】
無機ビルダーとして、常用の全ての無機ビルダー、例えばアルミノケイ酸塩、ケイ酸塩、炭酸塩、リン酸塩及びホスホン酸塩が適している。
【００８９】
適している無機ビルダーは当業者に公知であり、かつ例えば独国特許出願公開(DE-A)第101 60 993号明細書に開示されている。
【００９０】
（コ）ビルダーとして、例えば低分子量ポリカルボキシレートが使用される。さらにホスホン酸の塩及びオリゴマー又はポリマーのポリカルボキシレートが適している。さらに、付加的に変性されていてよい、不飽和Ｃ４〜Ｃ８−ジカルボン酸とモノエチレン系不飽和モノマーとのコポリマー及びターポリマーが適しており、並びにポリグリオキシル酸、ポリアミドカルボン酸及び変性されたポリアミドカルボン酸、ポリアスパラギン酸又はアスパラギン酸と別のアミノ酸との共縮合物、Ｃ４〜Ｃ２５−モノ−又は−ジカルボン酸及び／又はＣ４〜Ｃ２５−モノ−又は−ジアミン、クエン酸と一般的に１００００まで、好ましくは５０００までのモル質量を有するヒドロキシカルボン酸又はポリヒドロキシ化合物との縮合生成物が適している。
【００９１】
適している有機（コ）ビルダーは例えば独国特許出願公開(DE-A)第101 60 993号明細書に挙げられている。
【００９２】
さらに本発明による組成物は成分Ａ〜Ｆに加えて、成分Ｇとして別の助剤及び添加剤を含有していてよい。
【００９３】
成分Ｇ
別の助剤及び添加剤は、本発明による組成物中に０〜５質量％、好ましくは０．０１〜３質量％の量で存在していてよい。
【００９４】
適している助剤及び添加剤は、硬質表面用の処理剤及び清浄剤において通常使用される全ての助剤及び添加剤、好ましくは染料、香油、ｐＨ調節剤、例えばクエン酸、アルカノールアミン又はＮａＯＨ、防腐剤、アルカリ土類金属イオン用の錯化剤、酵素、漂白系、ソイルリリースポリマー、発泡増強剤、発泡抑制剤又は発泡防止剤、殺生物剤、防錆剤及び／又は耐食剤、懸濁剤、充填剤、無機増量剤、消毒剤、ヒドロトロープ化合物、酸化防止剤、溶解促進剤、分散剤、加工助剤、可溶化剤、可塑剤及び帯電防止物質を含む。
【００９５】
適している助剤及び添加剤は例えば独国特許出願公開(DE-A)第101 60 993号明細書に挙げられている。
【００９６】
本発明による組成物は一般的に、本発明による組成物中に存在している限り、成分Ａ〜Ｇ並びに水を混合することにより製造される。
【００９７】
前記組成物は、例えば硬質表面、特にガラス及びセラミック用の前処理剤又は後処理剤又は清浄剤、例えばガラス用クリーナー、床用クリーナー、汎用クリーナー、バス用クリーナー、すすぎ剤(Klarspueler)、食器の手清浄又は機械清浄のための食器用洗剤、機械用クリーナー、金属油とり、高圧クリーナー、アルカリクリーナー、酸性クリーナー、ポイント油とり(Spitzenentfetter)、酪農用クリーナー(Molkereireiniger)等として使用されることができる。好ましくは、前記組成物は硬質表面、特にガラス及びセラミック用の前処理剤又は後処理剤又は清浄剤、例えばガラス用クリーナー、床用クリーナー、汎用クリーナー及びバス用クリーナーとして使用される。
【００９８】
本出願のさらなる対象は硬質表面の処理方法であり、その際に硬質表面は本発明による組成物と接触される。
【００９９】
適している組成物及び硬質表面は既に前記されている。“接触すること”は、一般的にすすぎ、噴霧又はワイピング又は当業者に公知の他の方法により行われる。“接触すること”は、清浄化の前又は後の前処理又は後処理として、清浄化中に又は清浄化から独立して行われることができる。
【０１００】
さらなる対象は、迅速かつしまのない乾燥、汚れはがしの容易化、水の凝縮の減少又は回避及び／又は硬質表面上への乾固した水の痕跡の形成の減少又は回避のために硬質表面を処理するための、本出願による水溶性又は水分散性の化合物（成分Ａ）の使用である。好ましい水溶性又は水分散性の化合物及び表面は既に前記されている。前記化合物は、例えば硬質表面、特にガラス及びセラミック用の前処理剤又は後処理剤、又は清浄剤、例えばガラス用クリーナー、床用クリーナー、汎用クリーナー、バス用クリーナー、すすぎ剤、食器の手清浄又は機械清浄のための食器用洗剤、機械用クリーナー、金属油とり、高圧クリーナー、アルカリクリーナー、酸性クリーナー、ポイント油とり、酪農用クリーナー等において使用されることができる。好ましくは水溶性又は水分散性の化合物は、硬質表面、特にガラス及びセラミック用の前処理剤又は後処理剤又は清浄剤、例えばガラス用クリーナー、床用クリーナー、汎用クリーナー及びバス用クリーナーにおいて使用される。
【０１０１】
本出願のさらなる対象は、汚れ及び特に石灰せっけんの分散のためのクリーナー適用における本出願による水溶性又は水分散性の化合物（成分Ａ）の使用である。好ましい水溶性又は水分散性の化合物及び表面は既に前記されている。分散により石灰せっけんの沈殿は阻害され、ひいては清浄化すべき平面上の堆積が防止される。さらにまた水溶性又は水分散性の化合物（成分Ａ）は、石灰せっけん汚れが水溶性又は水分散性の化合物（成分Ａ）で処理された表面上に付着することを防止する性質を有し、かつこうして前記効果を促進する。これらの表面上に施される石灰せっけん汚れは、明らかにより容易にはがされる。
【０１０２】
石灰せっけんが水溶性又は水分散性の化合物（成分Ａ）で前処理された表面上に沈殿される場合には、これらは引き続いて、前処理されていなかった表面よりも極めてずっとより良好に清浄化されることができる。
【０１０３】
本出願のさらなる対象は、迅速かつしまのない乾燥、汚れはがしの容易化、水の凝縮の減少又は回避及び／又は硬質表面上への乾固した水の痕跡の形成の減少又は回避のために硬質表面を処理するための本発明による組成物の使用である。好ましい組成物及び表面は既に前記されている。好ましくは、前記組成物は硬質表面、特にガラス及びセラミック用の前処理剤又は後処理剤又は清浄剤、例えばガラス用クリーナー、床用クリーナー、汎用クリーナー及びバス用クリーナーにおいて使用される。
【０１０４】
本出願のさらなる対象は、汚れ及び特に石灰せっけんの分散のためのクリーナー適用における本出願による本発明による組成物の使用である。好ましい組成物及び表面は既に前記されている。
【０１０５】
実施例
製造例：
製造例１：
ポリマー１  −  ポリエチレンイミンの架橋及び引き続くアクリル酸とのマイケル−付加
金属撹拌機及び還流冷却器を備えた四つ口フラスコ中に、窒素雰囲気下にポリエチレンアミン１９６ｇ（無水、Ｍｗ＝２５，０００ｇ／mol、Lupasol（登録商標） WF）を添加し、完全脱塩水５８８ｇで２５％に希釈する。撹拌しながら７０℃に加熱し、この温度で架橋剤の２２％水溶液４０ｍｌを素早く添加する。架橋剤は平均モル質量１５００を有するポリエチレングリコールとエピクロロヒドリンとの反応生成物である。添加が完了した後に混合物を７０℃で５時間撹拌する。引き続いて８０℃に加熱し、この温度で３時間かけてアクリル酸２６３．２ｇを滴加する。添加が完了した後に溶液を８０℃でさらに１時間、さらに撹拌する。冷却後に、４２％の固体含量（２ｈ、真空／１２０℃）及び１７のＫ値（水中１％）を有する、生成物の粘稠な黄−橙色の溶液が得られる。
【０１０６】
製造例２：
ポリマー２  −  アクリル酸とのマイケル−付加におけるポリエチレンイミンの反応
金属撹拌機及び還流冷却器を備えた四つ口フラスコ中に、窒素雰囲気下にポリエチレンアミン３５０ｇ（５６％濃度、Ｍｗ＝２５，０００ｇ／mol、Lupasol（登録商標） HF）を添加し、完全脱塩水４５６ｇで２４％に希釈する。８０℃未満に加熱し、この温度で３時間に亘ってアクリル酸２５９．４ｇを滴加する。添加が完了した後に、溶液を８０℃でさらに６時間、さらに撹拌する。冷却後に４３．２％の固体含量（２ｈ、真空／１２０℃）及び１４．９のＫ値（水中１％）を有する、生成物の粘稠な黄−橙色の溶液が得られる。
【０１０７】
製造例３：
ポリマー３  −  ポリエチレンイミンの架橋及び引き続くアクリル酸とのマイケル-付加
金属撹拌機及び還流冷却器を備えた四つ口フラスコ中に、窒素雰囲気下にポリエチレンアミン３５０ｇ（５６％濃度、Ｍｗ＝２５，０００ｇ／mol、Lupasol（登録商標） HF）を添加し、完全脱塩水４５６ｇで希釈する。撹拌しながら７０℃に加熱し、この温度で架橋剤の５０％水溶液１８ｍｌを素早く添加する。架橋剤は平均モル質量６６０を有するポリエチレングリコールとエピクロロヒドリンとの反応生成物である。添加が完了した後に混合物を７０℃で５時間撹拌する。引き続いて反応溶液を８０℃に加熱し、この温度で３時間かけてアクリル酸２５９．４ｇを一滴ずつ添加する。添加が完了した後に、溶液を９５℃でさらに１時間撹拌する。冷却後に４４．１％の固体含量（２ｈ、真空／１２０℃）及び２３．１のＫ値（水中１％）を有する、生成物の粘稠な黄−橙色の溶液が得られる。
【０１０８】
製造例４：
ポリマー４  −  ポリエチレンイミンの架橋及び引き続くＡＭＰＳとのマイケル−付加
金属撹拌機及び還流冷却器を備えた四つ口フラスコ中に、窒素雰囲気下にポリエチレンアミン３５０ｇ（５６％濃度、Ｍｗ＝２５，０００ｇ／mol、Lupasol（登録商標） HF）を添加し、完全脱塩水４３４ｇで希釈する。撹拌しながら５５℃に加熱し、この温度で架橋剤の２２％水溶液４０ｍｌを素早く添加する。架橋剤は、平均モル質量１５００を有するポリエチレングリコールとエピクロロヒドリンとの反応生成物である。添加が完了した後に混合物を７０℃で１時間撹拌する。
【０１０９】
引き続いてバッチ２０３ｇにヒドロキノン０．１９ｇを添加し、８０℃に加熱し、この温度で３時間かけて水５６０ｇ中のＡＭＰＳ １８６．５ｇを滴加する。添加が完了した後に、溶液を８０℃でさらに４８時間、さらに撹拌する。冷却後に、２５．５％（２ｈ、真空／１２０℃）の固体含量及び２２．９のＫ値（水中１％）を有する、生成物の粘稠な黄−橙色の溶液が得られる。
【０１１０】
製造例５：
ポリマー５  −  ビニルスルホン酸との部分架橋(anvernetztem)ポリエチレンイミンのマイケル−付加
ポリマー例４からの単に部分架橋されたバッチ４０６ｇを８０℃に加熱し、この温度で３時間かけてビニルスルホン酸Ｎａ塩９３６．７ｇ（水中２５％濃度、Tamol（登録商標） VS)を滴加する。添加が完了した後に、溶液を８０℃でさらに４８時間、さらに撹拌する。冷却後に３４．７％の固体含量（２ｈ、真空／１２０℃）及び２２．３のＫ値（水中１％）を有する、生成物の粘稠な黄−橙色の溶液が得られる。
【０１１１】
FikentscherによるＫ値はポリマーの分子量の尺度であり、かつH. Fikentscher, Cellulose-Chemie, 13, 38〜64及び71〜74 (1932)に従い水中１質量％溶液として測定される。
【０１１２】
使用例：
使用例Ａ
ポリマー１〜５からその都度水中０．５％溶液を製造する。比較において市販のバス用クリーナー（biff（登録商標））及び製造例１からのポリマー０．５％の添加を伴う同じバス用クリーナーを使用する。
【０１１３】
試験のためにNovokerセラミックタイルを使用する。まず最初にタイルの接触角を測定する。ポリマー溶液からその都度０．３ｇをタイル１枚ずつの上に添加し、布で３０秒間に亘り均一に円を描いて表面上にこすりつける。引き続いてタイルを横にして乾燥させる。
【０１１４】
ついでタイルを垂直に立てて置き、１０個の噴霧噴出(Spruehstoessen)中で飲用水約１０．５ｇ（硬度１０．４°ｄＨ）で噴霧する。水膜の外観を評価する（第１表参照）。ついでタイルを１５分間に亘り通風室中で立てて乾燥させる。その場合に完全な乾燥に必要な時間は制御される（第２表参照）。乾燥後のタイルの外観を同様に評価する（第３表）。最終的に接触角を新たに測定する（第４表）。全過程（噴霧／乾燥）を５回繰り返す。比較のために未処理のタイルを同様に噴霧し、評価し、測定する。
【０１１５】
【表１】
2007534791.tif 000003
【０１１６】
【表２】
2007534791.tif 000004
【０１１７】
【表３】
2007534791.tif 000005
【０１１８】
【表４】
2007534791.tif 000006
【０１１９】
使用例Ｂ：汚れはがし
ポリマーからその都度水中１％溶液を製造する。付加的に商業的に入手可能なバス用クリーナー（biff （登録商標））及び１％ポリマー添加を伴うこのバス用クリーナーを調べる。試験を、１５×１５ｃｍの大きさを有するミラーガラスタイル上で実施する。ポリマー溶液からその都度０．３ｇをタイルに添加し、布で３０secに亘り均一に円を描いて表面上にこすりつける。引き続いてタイルを横にして乾燥させる。全ての溶液は良好に塗布されることができる。バス用クリーナーを含有している溶液は軽微なしみが残り、水性ポリマー溶液は乾燥後に目に見えない。比較として未処理のタイルを利用する。
【０１２０】
タイルを垂直に立てて置き、かつ２．２％オレイン酸ナトリウム溶液の２つの噴霧噴出（約０．４ｇ）で、引き続いて０．２モル濃度ＣａＣｌ２溶液の１つの噴霧噴出（約０．２ｇ）で噴霧する。その際に目に見えて石灰せっけんが表面上に形成される。
【０１２１】
ついでタイルを軽く傾け、かつ飲用水１５０ｍｌ（硬度１０．４°ｄＨ）で洗い流す（ガラス水びんからの流れを均一に上部タイル縁部に沿って導く）。
【０１２２】
その後タイルを横にして乾燥させ、最終的に視覚的に評価する（第５表）。この場合に、以下に対応する：０＝完全な清浄表面、１＝細いしま、２＝縁部での軽微な汚れ堆積、３＝軽微な汚れ堆積を有する全表面、４＝縁部での重点を有する強い目に見える汚れ堆積、５＝強い汚れ堆積で完全に被覆される。
【０１２３】
【表５】
2007534791.tif 000007
【０１２４】
使用例Ｃ：曇り防止
ミラータイル（１５×１５ｃｍ）上に、１％ポリマー溶液０．３ｇ（ポリマー１）を添加し、布で３０secに亘り均一に円を描いて表面上にこすりつける。引き続いて、このタイルを未処理のタイルと一緒に冷蔵庫中に置く（５℃）。
【０１２５】
４ｈ後にタイルを冷蔵庫から取り出す。その際に未処理のタイルのみが曇り、それに対して処理したタイルは澄んだままである。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
硬質表面を処理するための組成物であって、
ａ）成分Ａとして、
ａａ）成分Ａａとして、ポリアルキレンポリアミン、エチレンイミンでグラフトされたポリアミドアミン、ポリエーテルアミン並びに前記化合物の混合物、
ａｂ）場合により、成分Ａｂとして、官能基としてハロゲンヒドリン単位、グリシジル単位、アジリジン単位又はイソシアナート単位又はハロゲン原子を有する少なくとも二官能性の架橋剤、及び
ａｃ）アクリル酸、メタクリル酸、ジメタクリル酸、エチルアクリル酸、マレイン酸、フマル酸、イタコン酸、メチレンマロン酸及びシトラコン酸からなる群から選択されるモノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステル
の反応により得ることができる、少なくとも１つの水溶性又は水分散性の化合物；
ｂ）成分Ｂとして、アニオン界面活性剤、非イオン界面活性剤、両性界面活性剤及びカチオン界面活性剤からなる群から選択される少なくとも１つの界面活性剤；
ｃ）場合により、成分Ｃとして、少なくとも１つの水溶性有機溶剤；
ｄ）場合により、成分Ｄとして、アンモニア及び／又は少なくとも１つのアルカノールアミン；
ｅ）場合により、成分Ｅとして、少なくとも１つの無機酸、カルボン酸及び／又はスルホン酸；
ｆ）場合により、成分Ｆとして、少なくとも１つのビルダー；
ｇ）場合により、成分Ｇとして、別の助剤及び添加剤；及び
ｈ）水を含有している、硬質表面を処理するための組成物。
【請求項２】
ａ）成分Ａ  ０．０１〜４０質量％；
ｂ）成分Ｂ  ０．０１〜８０質量％；
ｃ）成分Ｃ  ０〜５０質量％；
ｄ）成分Ｄ  ０〜５質量％；
ｅ）成分Ｅ  ０〜５質量％；
ｆ）成分Ｆ  ０〜１０質量％；
ｇ）成分Ｇ  ０〜５質量％；及び
ｈ）水
を含有しており、成分Ａ〜Ｇ及び水の全量が１００質量％である、請求項１記載の組成物。
【請求項３】
成分Ａａがポリアルキレンアミンである、請求項１又は２記載の組成物。
【請求項４】
成分Ａｂが、エピハロゲンヒドリン、α，ω−ビス−（クロロヒドリン）ポリアルキレングリコールエーテル、ポリアルキレングリコールエーテルのα，ω−ビス（エポキシド）及び／又はビス−グリシジルエーテルである、請求項１から３までのいずれか１項記載の組成物。
【請求項５】
成分Ａｃが、アクリル酸、メタクリル酸、ジメタクリル酸、エチルアクリル酸、マレイン酸、フマル酸、イタコン酸、メチレンマロン酸及びシトラコン酸からなる群から選択されるモノエチレン系不飽和カルボン酸である、請求項１から４までのいずれか１項記載の組成物。
【請求項６】
成分Ｂが、脂肪アルコール硫酸塩、アルキルエーテル硫酸塩、脂肪アルコールアルコキシラート及びそれらの混合物からなる群から選択されている、請求項１から５までのいずれか１項記載の組成物。
【請求項７】
成分Ｃが、グリセリン、プロピレングリコール、エチレングリコール、エタノール、イソプロパノール、ｎ−プロパノール、エチレングリコールモノブチルエーテル、プロピレングリコールモノブチルエーテル及び前記の水溶性有機溶剤の２つ又はそれ以上からなる混合物から選択されている、請求項１から６までのいずれか１項記載の組成物。
【請求項８】
成分Ｄがアンモニア及び／又はモノエタノールアミンであり、及び／又は成分Ｅがギ酸、酢酸、クエン酸、乳酸又はアミドスルホン酸である、請求項１から７までのいずれか１項記載の組成物。
【請求項９】
水溶性又は水分散性の化合物の製造方法において、次の工程：
ｉ）成分Ａａとして、ポリアルキレンポリアミン、エチレンイミンでグラフトされたポリアミドアミン、ポリエーテルアミン並びに前記化合物の混合物を、
成分Ａｂとして、官能基としてハロゲンヒドリン単位、グリシジル単位、アジリジン単位又はイソシアナート単位又はハロゲン原子を有する少なくとも二官能性の架橋剤
で架橋する工程；
及び
ｉｉ）工程ｉ）において得られた生成物を、成分Ａｃとしてモノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステルと反応させる工程
を含んでいることを特徴とする、水溶性又は水分散性の化合物の製造方法。
【請求項１０】
請求項９記載の方法により製造可能である、水溶性又は水分散性の化合物。
【請求項１１】
硬質表面を請求項１から８までのいずれか１項記載の組成物と接触させる、硬質表面の処理方法。
【請求項１２】
迅速かつしまのない乾燥、汚れはがしの容易化、水の凝縮の減少又は回避及び／又は硬質表面上への乾固した水の痕跡の形成の減少又は回避のため及び／又は汚れ及び特に石灰せっけんの分散のためのクリーナー適用において硬質表面を処理する方法において、硬質表面を、
ａａ）成分Ａａとして、ポリアルキレンポリアミン、ポリアミドアミン、エチレンイミンでグラフトされたポリアミドアミン、ポリエーテルアミン並びに前記化合物の混合物、
ａｂ）場合により、成分Ａｂとして、官能基としてハロゲンヒドリン単位、グリシジル単位、アジリジン単位又はイソシアナート単位又はハロゲン原子を有する少なくとも二官能性の架橋剤、及び
ａｃ）アクリル酸、メタクリル酸、ジメタクリル酸、エチルアクリル酸、マレイン酸、フマル酸、イタコン酸、メチレンマロン酸及びシトラコン酸からなる群から選択されるモノエチレン系不飽和カルボン酸、モノエチレン系不飽和カルボン酸の塩、エステル、アミド又はニトリル、クロロカルボン酸及び／又はグリシジル化合物、例えばグリシジル酸、グリシジルアミド又はグリシジルエステル
を反応させることにより得ることができる水溶性又は水分散性の化合物と接触させる工程を含んでいることを特徴とする、硬質表面の処理方法。
【請求項１３】
迅速かつしまのない乾燥、汚れはがしの容易化、水の凝縮の減少又は回避及び／又は硬質表面上への乾固した水の痕跡の形成の減少又は回避のため及び／又は汚れ及び特に石灰せっけんの分散のためのクリーナー適用において硬質表面を処理する方法において、硬質表面を請求項１から８までのいずれか１項記載の組成物と接触させる工程を含んでいることを特徴とする、硬質表面の処理方法。
【国際調査報告】
2007534791.tif 000008
2007534791.tif 000009
2007534791.tif 000010
2007534791.tif 000011
2007534791.tif 000012
2007534791.tif 000013
2007534791.tif 000014
2007534791.tif 000015